(57)【要約】【課題】  操作部材にクリック感を付与することができ、かつ十分なスライド長さを確保できるスイッチ装置およびそれを備えた時計を提供する。【解決手段】  貫通孔１８が設けられたケース本体１２と、このケース本体１２の貫通孔１８に挿入される軸部２０およびケース本体１２の外部に配置されて押圧部２５が設けられた頭部２１を備えた操作部材１５と、頭部２１によって押圧されて弾性変形することにより、操作部材１５のスライド長さを設定する第１ばね部１６と、頭部２１の押圧部２５によって押圧されて弾性変形することにより、操作部材１５にクリック感を付与する第２ばね部１７と、を備えている。従って、第１ばね部１６によって操作部材１５のスライド長さを十分に確保することができる。また、第２ばね部１７によって操作部材１５に確実にかつ良好にクリック感を付与することができる。【選択図】        図２
2019114374.tif 000002
【特許請求の範囲】
【請求項１】
貫通孔が設けられたケースと、
前記貫通孔に挿入される軸部および前記ケースの外部に配置されて、前記ケース側に押圧部が設けられた頭部を備えた操作部材と、
前記頭部によって押圧されて弾性変形することにより、前記ケースに対して外部に付勢する第１ばね部と、
前記頭部の前記押圧部によって押圧されて弾性変形することにより、前記操作部材にクリック感を付与する第２ばね部と、
を備えていることを特徴とするスイッチ装置。
【請求項２】
請求項１に記載のスイッチ装置において、前記操作部材の前記頭部が前記第１ばね部のばね力に抗して押圧されて前記軸部の端部が前記ケース内に押し込まれた状態で、前記頭部の前記押圧部が前記第２ばね部を弾性変形させて前記操作部材にクリック感を付与したときに、前記軸部の前記端部によってオン動作するスイッチ部を備えていることを特徴とするスイッチ装置。
【請求項３】
請求項１または請求項２に記載のスイッチ装置において、前記第１ばね部は、前記頭部と前記ケースとの間に前記第２ばね部を介して配置されたコイルばねであり、前記第２ばね部は、前記軸部が挿入された中央部が前記頭部の前記押圧部によって押圧されて弾性変形するドーム状の板ばねであることを特徴とするスイッチ装置。
【請求項４】
請求項３に記載のスイッチ装置において、前記第１ばね部は、その内径が前記頭部の前記押圧部の外径よりも大きく形成され、前記第２ばね部は、外周部が前記第１ばね部によって前記ケースの外面に押し付けられていることを特徴とするスイッチ装置。
【請求項５】
請求項１〜請求項４のいずれかに記載のスイッチ装置において、前記ケースの前記貫通孔内に配置され、前記第２ばね部の前記中央部を前記ケースの外部に向けて弾力的に押し出す弾性部材を備えていることを特徴とするスイッチ装置。
【請求項６】
請求項５に記載のスイッチ装置において、前記弾性部材は、前記操作部材の前記軸部がスライド可能に挿入する円筒状に形成され、その外径が前記第２ばね部の外径よりも小さく形成されていることを特徴とするスイッチ装置。
【請求項７】
請求項１〜請求項６のいずれかに記載のスイッチ装置において、前記ケースの前記貫通孔の縁部には、面取り部が設けられていることを特徴とするスイッチ装置。
【請求項８】
請求項１〜請求項７のいずれかに記載されたスイッチ装置を備えていることを特徴とする時計。
【請求項９】
貫通孔が設けられたケースと、
前記貫通孔に挿入される軸部および前記ケースの外部に配置されて押圧部が設けられた頭部を備えた操作部材と、
前記頭部によって押圧されて弾性変形する第１ばね部と、
前記頭部の前記押圧部によって押圧されて弾性変形する第２ばね部と、
を備えていることを特徴とするスイッチ装置。
【発明の詳細な説明】
【技術分野】
【０００１】
この発明は、腕時計などの電子機器に用いられるスイッチ装置およびそれを備えた時計に関する。
【背景技術】
【０００２】
例えば、スイッチ装置においては、特許文献１に記載されているように、基板上に設けられたスイッチケース内に固定接点とドーム状の板ばねとを互いに対向させて設け、基板に押圧操作可能に設けられた操作釦によってドーム状の板ばねを弾性変形させて固定接点に接触させる構造のものが知られている。
【先行技術文献】
【特許文献】
【０００３】
【特許文献１】特開２０１０−４０４３１号公報
【発明の概要】
【発明が解決しようとする課題】
【０００４】
このようなスイッチ装置では、ドーム状の板ばねの弾性変形によって操作釦にクリック感を付与することができても、操作釦のスライド長さ（押し込み量）がドーム状の板ばねの弾性変形による板ばねの変位量に限定されてしまうため、十分なスライド長さを確保することができない。
【０００５】
この発明が解決しようとする課題は、操作部材にクリック感を付与することができ、かつ十分なスライド長さを確保できるスイッチ装置およびそれを備えた時計を提供することである。
【課題を解決するための手段】
【０００６】
この発明は、貫通孔が設けられたケースと、前記貫通孔に挿入される軸部および前記ケースの外部に配置されて、前記ケース側に押圧部が設けられた頭部を備えた操作部材と、前記頭部によって押圧されて弾性変形することにより、前記操作部材のスライド長さを設定する第１ばね部と、前記頭部の前記押圧部によって押圧されて弾性変形することにより、前記操作部材にクリック感を付与する第２ばね部と、を備えていることを特徴とするスイッチ装置である。
【発明の効果】
【０００７】
この発明によれば、操作部材にクリック感を付与することができると共に、十分なスライド長さを確保することができる。
【図面の簡単な説明】
【０００８】
【図１】この発明を腕時計に適用した一実施形態を示した拡大正面図である。
【図２】図１に示された腕時計のＡ−Ａ矢視における要部を示した拡大断面図である。
【図３】図２に示されたスイッチ装置を分解して示した拡大斜視図である。
【図４】図２に示されたスイッチ装置において、操作部材を押圧操作した状態を示した拡大断面図である。
【図５】図４に示されたスイッチ装置における要部を更に拡大して示した断面図である。
【発明を実施するための形態】
【０００９】
以下、図１〜図５を参照して、この発明を腕時計に適用した一実施形態について説明する。
この腕時計は、図１に示すように、腕時計ケース１を備えている。この腕時計ケース１の１２時側と６時側とには、バンド取付部２がそれぞれ設けられている。また、この腕時計ケース１の２時側、３時側、４時側、８時側、および１０時側には、スイッチ装置３がそれぞれ設けられている。
【００１０】
この腕時計ケース１の上部開口部には、図２に示すように、時計ガラス４がガラスパッキン４ａを介して取り付けられている。この腕時計ケース１の下部には、裏蓋５が防水パッキン５ａを介して取り付けられている。また、この腕時計ケース１の内部には、時計モジュール６が設けられている。
【００１１】
この時計モジュール６は、図２に示すように、上部ハウジング７と下部ハウジング８とを備えている。上部ハウジング７の上部には、文字板９が設けられており、この文字板９の外周部上には、見切り部材１０が設けられている。上部ハウジング７と下部ハウジング８との間には、回路基板１１が設けられている。また、この時計モジュール６は、図示しないが、指針を運針させて時刻を指示する時計ムーブメント、および時刻や日付、曜日などの情報を電気光学的に表示する表示部などの時計機能に必要な各種の電子部品を備えている。
【００１２】
また、この腕時計ケース１は、図２および図４に示すように、ケース本体１２と第１、第２外装部材１３、１４とを備えている。ケース本体１２は、硬質の合成樹脂によって形成され、内部に金属製の補強部材１２ａが埋め込まれた構造になっている。第１外装部材１３は、ステンレスなどの金属で形成され、ケース本体１２の上部外周に装着されている。第２外装部材１４は、ウレタン樹脂などの軟質の合成樹脂によって形成され、第１外装部材１３およびケース本体１２の外周にこれらを覆って装着されている。
【００１３】
ところで、スイッチ装置３は、図２および図３に示すように、操作部材１５と、スライド長さを設定する第１ばね部１６と、操作部材１５にクリック感を付与する第２ばね部１７と、を備えている。操作部材１５は、腕時計ケース１のケース本体１２に設けられた貫通孔１８にスライド可能に挿入する軸部２０と、この軸部２０の外端部に設けられて腕時計ケース１の外部に配置される頭部２１と、を備えている。
【００１４】
この場合、ケース本体１２の貫通孔１８は、図２および図４に示すように、小径孔部１８ａと大径孔部１８ｂとを備えている。小径孔部１８ａは、ケース本体１２の内部側に設けられている。大径孔部１８ｂは、ケース本体１２の外部側に設けられている。この大径孔部１８ｂは、内径が小径孔部１８ａの内径よりも大きく形成され、かつ軸方向の長さが小径孔部１８ａの軸方向の長さよりも長く形成されている。
【００１５】
操作部材１５の軸部２０は、図２および図４に示すように、外径が貫通孔１８の小径孔部１８ａの内径とほぼ同じ大きさに形成され、貫通孔１８の大径孔部１８ｂ内に配置された複数の防水リング２２を介して貫通孔１８内にスライド可能に挿入されるように構成されている。この軸部２０は、軸方向の長さが貫通孔１８の軸方向の長さよりも長く形成されている。
【００１６】
これにより、軸部２０は、図２および図４に示すように、貫通孔１８に挿入された状態で、外端部がケース本体１２の外部に突出し、内端部がケース本体１２の内部に突出するように構成されている。この場合、軸部２０は、ケース本体１２の内部に突出した内端部にＥリングなどの抜止め部材２３が取り付けられている。この抜止め部材２３は、ケース本体１２の内面に接離可能に当接することにより、軸部２０がケース本体１２の外部に抜け出さないように構成されている。
【００１７】
操作部材１５の頭部２１は、図２〜図４に示すように、腕時計ケース１の第２外装部材１４に設けられた釦挿入孔１４ａに配置されている。この頭部２１は、その外径がケース本体１２の貫通孔１８における大径孔部１８ｂの内径よりも大きい円柱状に形成され、軸部２０の外端部に一体に設けられている。また、この頭部２１の内端面、つまりケース本体１２側に位置する頭部２１の内端面には、ばね取付溝２４がリング状に設けられている。
【００１８】
この場合、頭部２１の内端面におけるばね取付溝２４で囲われた領域には、図２および図４に示すように、押圧部２５が設けられている。この押圧部２５は、外径が貫通孔１８の大径孔部１８ｂの内径と同じか、それよりも大きい円形状に形成されている。また、この押圧部２５は、ケース本体１２の外面に対面する押圧面が、頭部２１の内端面と同一面上に設けられている。
【００１９】
一方、第１ばね部１６は、図２〜図４に示すように、コイルばねであり、頭部２１とケース本体１２との間に位置する軸部２０の外周に配置され、操作部材１５のスライド長さを設定すると共に、操作部材１５の操作力をも設定するように構成されている。この第１ばね部１６は、その内径が頭部２１の押圧部２５の外径と同じか、それよりも少し大きく形成され、かつ外径がばね取付溝２４の内径よりも小さい大きさで形成されている。
【００２０】
これにより、第１ばね部１６は、図２および図４に示すように、ケース本体１２の外部側の一端部が頭部２１のばね取付溝２４内に配置された状態で、ばね取付溝２４内の底部に弾設し、他端部がケース本体１２の外面に第２ばね部１７を弾力的に押し当てるように構成されている。このため、第１ばね部１６は、そのばね力によって頭部２１をケース本体１２の外部に向けて押し出すように付勢し、軸部２０の抜止め部材２３をケース本体１２の内面に押し当てるように構成されている。
【００２１】
これにより、操作部材１５は、図２および図４に示すように、第１ばね部１６のばね力によって頭部２１がケース本体１２の外部に向けて押し出された際に、軸部２０の抜止め部材２３がケース本体１２の内面に押し当てられるように構成されている。また、この操作部材１５は、第１ばね部１６のばね力に抗して頭部２１がケース本体１２の内部に向けて押し込まれた際に、軸部２０の内端部が抜止め部材２３と共にケース本体１２の内部に押し込まれるように構成されている。
【００２２】
第２ばね部１７は、図２〜図４に示すように、第１ばね部１６が頭部２１によって押圧されて弾性変形した状態で、頭部２１の押圧部２５によって押圧された際に、弾性変形する皿ばねなどのドーム状の板ばねであり、中央部が頭部２１の押圧部２５に向けて膨らむドーム状の円板状に形成されている。この第２ばね部１７の中央部には、軸部２０が挿入する軸挿入孔１７ａが設けられている。
【００２３】
また、この第２ばね部１７は、図２〜図５に示すように、その外径が第１ばね部１６の外径よりも大きく、かつ貫通孔１８の大径孔部１８ｂの内径よりも大きく形成されている。これにより、第２ばね部１７は、外周部が第１ばね部１６のばね力によってケース本体１２の外面に向けて押え付けられるように構成されている。
【００２４】
このため、第２ばね部１７は、図２に示すように、操作部材１５の頭部２１が第１ばね部１６のばね力によってケース本体１２の外部に押し出された際に、第２ばね部１７の中央部が頭部２１の押圧部２５から離れ、第２ばね部１７の外周部がケース本体１２の外面に接近または接触した状態で、ガタツクことなく保持されるように構成されている。
【００２５】
また、この第２ばね部１７は、図４および図５に示すように、操作部材１５の頭部２１が第１ばね部１６のばね力に抗してケース本体１２の内部に向けて押し込まれて、第２ばね部１７の中央部が頭部２１の押圧部２５によって押圧された際に、第２ばね部１７の中央部が急激に弾性変形することにより、操作部材１５にクリック感を付与するように構成されている。この場合、第２ばね部１７は、その中央部が急激に弾性変形しても、その振動の一部が第１ばね部１６によって吸収されるように構成されている。
【００２６】
この場合、ケース本体１２の貫通孔１８内には、図２〜図５に示すように、第２ばね部１７の中央部に弾設する弾性部材２６が設けられている。この弾性部材２６は、シリコーンゴムなどの弾力性を備えた合成樹脂によって円筒状に形成されている。すなわち、この弾性部材２６は、内径が操作部材１５の軸部２０の外径とほぼ同じ大きさで、外径が貫通孔１８の大径孔部１８ｂの内径とほぼ同じ大きさで、かつ第２ばね部１７の外径よりも小さく形成されている。
【００２７】
また、この弾性部材２６は、図２〜図５に示すように、軸方向の長さが貫通孔１８の大径孔部１８ｂにおける軸方向の長さよりも短く形成されている。すなわち、この弾性部材２６は、貫通孔１８の大径孔部１８ｂ内に複数の防水リング２２を介して配置された際に、ケース本体１２の外部に突出して第２ばね部１７の中央部を頭部２１側に向けて弾力的に押し出すように構成されている。
【００２８】
これにより、弾性部材２６は、図２、図４および図５に示すように、第１ばね部１６のばね力によって第２ばね部１７の外周部をケース本体１２の外面に接近または接触させた状態でガタツクことなく保持するように構成されている。すなわち、この弾性部材２６は、その弾性力が第１ばね部１６のばね力よりも強くても、また弱くても良いが、第２ばね部１７のばね力よりも弱く設定されている。
【００２９】
このため、弾性部材２６は、図２、図４および図５に示すように、第１ばね部１６のばね力によって第２ばね部１７の外周部がケース本体１２の外面に押し付けられた際に、第２ばね部１７の外周部がケース本体１２の外面から離れて配置されていても良く、またケース本体１２の外面に接触して配置されていても良い。また、この弾性部材２６は、操作部材１５の頭部２１が第１ばね部１６のばね力に抗して押圧されて、頭部２１の押圧部２５が第２ばね部１７を弾性変形させた際に、軸方向に押圧されて弾性変形するように構成されている。
【００３０】
これにより、弾性部材２６は、図４および図５に示すように、頭部２１の押圧部２５によって第２ばね部１７の中央部が押圧されて、第２ばね部１７が弾性変形して操作部材１５にクリック感を付与する際に、弾性部材２６が弾性変形することにより、操作部材１５に付与されるクリック感を和らげるように構成されている。
【００３１】
この場合、ケース本体１２の貫通孔１８の縁部、つまり貫通孔１８の大径孔部１８ｂの縁部には、図２、図４および図５に示すように、面取り部２７が設けられている。この面取り部２７は、弾性部材２６を貫通孔１８の大径孔部１８ｂ内に挿入させ易くすると共に、ケース本体１２の外部に突出した箇所の弾性部材２６を弾性変形させ易くするように構成されている。
【００３２】
また、腕時計ケース１内の時計モジュール６は、図２および図４に示すように、操作部材１５の軸部２０の内端部によってスイッチ動作するスイッチ接点部６ａが設けられている。このスイッチ接点部６ａは、操作部材１５の頭部２１が第１ばね部１６のばね力によってケース本体１２の外部に押し出された際に、軸部２０の内端部がスイッチ接点部６ａから離れて、オフ状態になるように構成されている。
【００３３】
また、このスイッチ接点部６ａは、図４に示すように、操作部材１５の頭部２１が第１ばね部１６のばね力に抗してケース本体１２の内部に向けて押し込まれて、第２ばね部１７が頭部２１の押圧部２５によって押圧されてクリック感を付与する際に、軸部２０の内端部がスイッチ接点部６ａを押圧することにより、第２ばね部１７によってクリック感が付与されるタイミングとほぼ同時にオン動作するように構成されている。
【００３４】
次に、この腕時計のスイッチ装置３の作用について説明する。
このスイッチ装置３は、通常の初期状態のときに、操作部材１５が第１ばね部１６のばね力によって腕時計ケース１のケース本体１２の外部に向けて押し出されている。すなわち、操作部材１５は、頭部２１が第１ばね部１６のばね力によってケース本体１２の外部に向けて押し出され、軸部２０の内端部に設けられた抜止め部材２３がケース本体１２の内面に押し当てられている。
【００３５】
この状態では、軸部２０の内端部が時計モジュール６のスイッチ接点部６ａから離れているので、スイッチ接点部６ａがオフ状態になっている。また、この状態では、ドーム状の第２ばね部１７の中央部が弾性部材２６によって弾力的に押し出されて、第２ばね部１７の中央部が膨らんだ状態になっている。このときには、第２ばね部１７の外周部が第１ばね部１６のばね力によって押されてケース本体１２の外面に接近または接触している。このため、第２ばね部１７は、操作部材１５およびケース本体１２に対してガタツクことなく保持されている。
【００３６】
そして、操作部材１５の頭部２１が押圧されると、軸部２０が貫通孔１８内でスライドして軸部２０の内端部が抜止め部材２３と共にケース本体１２内に押し込まれる。すなわち、頭部２１が第１ばね部１６のばね力に抗して押し込まれると、軸部２０の内端部がケース本体１２内に押し込まれて、頭部２１の押圧部２５が第２ばね部１７に接近する。このときには、軸部２０の内端部が時計モジュール６のスイッチ接点部６ａに接近するが、スイッチ接点部６ａはオフ状態を維持する。
【００３７】
この状態で、操作部材１５の頭部２１が更に押圧されて、第１ばね部１６が更に弾性変形して、頭部２１の押圧部２５が第２ばね部１７を押圧した際には、第２ばね部１７の膨らんだ中央部が弾性変形する。このときには、第２ばね部１７の中央部が頭部２１の押圧部２５で押圧されて弾性部材２６と共に弾性変形し、操作部材１５にクリック感を付与する。
【００３８】
すなわち、第２ばね部１７の膨らんだ中央部がほぼ平坦な状態になるように急激に弾性変形することにより、操作部材１５にクリック感を付与する。このときには、第２ばね部１７の中央部が急激に弾性変形すると、第２ばね部１７が振動するが、その振動が第１ばね部１６によって吸収される。また、このときには、第２ばね部１７の弾性変形と同時に弾性部材２６も弾性変形するので、操作部材１５に付与されるクリック感が弾性部材２６の弾性変形によって和らげられる。
【００３９】
このように、第１ばね部１６と第２ばね部１７とが弾性変形した際には、軸部２０の内端部が時計モジュール６のスイッチ接点部６ａを押圧するので、スイッチ接点部６ａがオン動作する。この場合、スイッチ接点部６ａがオン動作するタイミングと、第２ばね部１７が操作部材１５にクリック感を付与するタイミングとがほぼ一致して同期する。
【００４０】
すなわち、第２ばね部１７が操作部材１５にクリック感を付与するのとほぼ同時に、スイッチ接点部６ａがスイッチ動作してオン状態になる。このため、第２ばね部１７によって操作部材１５に付与されるクリック感によって、スイッチ接点部６ａのオン動作が確認される。なお、この後は、操作部材１５が第１ばね部１６のばね力によって腕時計ケース１の外部に向けて押し出されるので、スイッチ装置３が通常の初期状態に戻り、スイッチ接点部６ａがオフ状態になる。
【００４１】
このように、この腕時計のスイッチ装置３によれば、貫通孔１８が設けられた腕時計ケース１のケース本体１２と、このケース本体１２の貫通孔１８に挿入される軸部２０およびケース本体１２の外部に配置されて押圧部２５が設けられた頭部２１を備えた操作部材１５と、頭部２１によって押圧されて弾性変形することにより、操作部材１５のスライド長さを設定する第１ばね部１６と、頭部２１の押圧部２５によって押圧されて弾性変形することにより、操作部材１５にクリック感を付与する第２ばね部１７と、を備えていることにより、操作部材１５にクリック感を付与することができると共に、操作部材１５のスライド長さを十分に確保することができる。
【００４２】
すなわち、この腕時計のスイッチ装置３では、第１ばね部１６の弾性変形によって操作部材１５のスライド長さを設定することができるので、操作部材１５のスライド長さを十分に確保することができると共に、操作部材１５の操作力をも設定することができる。また、第２ばね部１７は、頭部２１の押圧部２５によって押圧された際に、弾性変形することにより、操作部材１５に確実にかつ良好にクリック感を付与することができる。
【００４３】
また、この腕時計のスイッチ装置３では、操作部材１５の頭部２１が第１ばね部１６のばね力に抗して押圧されて軸部２０の内端部がケース本体１２の内部に押し込まれ、頭部２１の押圧部２５が第２ばね部１７を弾性変形させて操作部材１５にクリック感を付与したときに、軸部２０の内端部によってオン動作するスイッチ接点部６ａを備えていることにより、第２ばね部１７によって操作部材１５に付与されるクリック感によって、スイッチ接点部６ａのオン動作を確実にかつ良好に確認することができる。
【００４４】
すなわち、このスイッチ装置３では、第２ばね部１７が操作部材１５にクリック感を付与するタイミングとスイッチ接点部６ａがオン動作するタイミングとを同期させることができるので、操作部材１５に付与されたクリック感によってスイッチ接点部６ａのオン動作を確認することができ、このためスイッチ操作性を向上させることができる。
【００４５】
また、この腕時計のスイッチ装置３では、第１ばね部１６が頭部２１とケース本体１２との間に第２ばね部１７を介して配置されたコイルばねであることにより、第１ばね部１６によって操作部材１５のスライド長さを最適な長さに設定することができると共に、操作部材１５の操作力を最適な強さに設定することができる。
【００４６】
また、第２ばね部１７は、軸部２０が挿入された中央部が、頭部２１の押圧部２５によって押圧されて弾性変形するドーム状の板ばねであることにより、操作部材１５の頭部２１が第１ばね部１６のばね力に抗して押圧されて、頭部２１の押圧部２５が第２ばね部１７を押圧した際に、第２ばね部１７の膨らんだ中央部がほぼ平坦な状態になるように急激に弾性変形するので、操作部材１５に確実にかつ良好にクリック感を付与することができる。
【００４７】
この場合、第１ばね部１６は、その内径が頭部２１の押圧部２５の外径よりも大きく形成されており、第２ばね部１７は、その外径が第１ばね部１６の外径よりも大きく形成され、かつその外周部が第１ばね部１６によってケース本体１２の外面に向けて弾力的に押し付けられていることにより、第２ばね部１７が操作部材１５およびケース本体１２に対してガタツクことがなく、第２ばね部１７を確実にかつ良好に保持することができる。
【００４８】
すなわち、このスイッチ装置３では、第１ばね部１６の一端部を第２ばね部１７の外周部に押し当てることができるので、第１ばね部１６のばね力によって第２ばね部１７をケース本体１２の外面に向けて弾力的に押し付けることができる。このため、第２ばね部１７が操作部材１５および腕時計ケース１に対してガタツクことがなく、第２ばね部１７を確実にかつ良好に保持することができると共に、第２ばね部１７の急激な弾性変形によって生じる振動を第１ばね部１６によって吸収することができる。
【００４９】
また、このスイッチ装置３では、ケース本体１２の貫通孔１８における大径孔部１８ｂ内に配置され、第２ばね部１７をケース本体１２の外部に向けて弾力的に押し出す弾性部材２６を備えていることにより、第２ばね部１７が頭部２１の押圧部２５によって押圧されて操作部材１５にクリック感を付与する際に、弾性部材２６の弾性変形によって操作部材１５に付与されるクリック感を和らげることができる。
【００５０】
すなわち、弾性部材２６は、操作部材１５の軸部２０がスライド可能に挿入する円筒状に形成され、その外径が第２ばね部１７の外径よりも小さく形成されていることにより、弾性部材２６によって第２ばね部１７の中央部をケース本体１２の外部に向けて弾力的に押し出すことができると共に、第２ばね部１７の外周部を腕時計ケース１の外面に接近または接触させることができる。
【００５１】
このため、このスイッチ装置３では第２ばね部１７が頭部２１の押圧部２５によって押圧された際に、第２ばね部１７の膨らんだ中央部をほぼ平坦な状態になるように良好に弾性変形させることができると共に、弾性部材２６の弾性変形によって操作部材１５に付与されるクリック感を和らげることができる。
【００５２】
さらに、このスイッチ装置３では、ケース本体１２の貫通孔１８の縁部に面取り部２７が設けられていることにより、弾性部材２６の外径が貫通孔１８の大径孔部１８ｂとほぼ同じ大きさに形成されていても、弾性部材２６を貫通孔１８の大径孔部１８ｂ内に挿入する際に、面取り部２７によって挿入させ易くすると共に、腕時計ケース１の外部に突出した箇所の弾性部材２６を弾性変形させ易くすることができ、これにより操作部材１５に付与されるクリック感を和らげることができる。
【００５３】
なお、上述した実施形態では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、携帯電話機、携帯端末機などの電子機器にも広く適用することができる。
【００５４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５５】
（付記）
請求項１に記載の発明は、貫通孔が設けられたケースと、前記貫通孔に挿入される軸部および前記ケースの外部に配置されて、前記ケース側に押圧部が設けられた頭部を備えた操作部材と、前記頭部によって押圧されて弾性変形することにより、前記操作部材のスライド長さを設定する第１ばね部と、前記頭部の前記押圧部によって押圧されて弾性変形することにより、前記操作部材にクリック感を付与する第２ばね部と、を備えていることを特徴とするスイッチ装置である。
【００５６】
請求項２に記載の発明は、請求項１に記載のスイッチ装置において、前記操作部材の前記頭部が前記第１ばね部のばね力に抗して押圧されて前記軸部の端部が前記ケース内に押し込まれた状態で、前記頭部の前記押圧部が前記第２ばね部を弾性変形させて前記操作部材にクリック感を付与したときに、前記軸部の前記端部によってオン動作するスイッチ部を備えていることを特徴とするスイッチ装置である。
【００５７】
請求項３に記載の発明は、請求項１または請求項２に記載のスイッチ装置において、前記第１ばね部は、前記頭部と前記ケースとの間に前記第２ばね部を介して配置されたコイルばねであり、前記第２ばね部は、前記軸部が挿入された中央部が前記頭部の前記押圧部によって押圧されて弾性変形するドーム状の板ばねであることを特徴とするスイッチ装置である。
【００５８】
請求項４に記載の発明は、請求項３に記載のスイッチ装置において、前記第１ばね部は、その内径が前記頭部の前記押圧部の外径よりも大きく形成され、前記第２ばね部は、外周部が前記第１ばね部によって前記ケースの外面に押し付けられていることを特徴とするスイッチ装置である。
【００５９】
請求項５に記載の発明は、請求項１〜請求項４のいずれかに記載のスイッチ装置において、前記ケースの前記貫通孔内に配置され、前記第２ばね部の前記中央部を前記ケースの外部に向けて弾力的に押し出す弾性部材を備えていることを特徴とするスイッチ装置である。
【００６０】
請求項６に記載の発明は、請求項５に記載のスイッチ装置において、前記弾性部材は、前記操作部材の前記軸部がスライド可能に挿入する円筒状に形成され、その外径が前記第２ばね部の外径よりも小さく形成されていることを特徴とするスイッチ装置である。
【００６１】
請求項７に記載の発明は、請求項１〜請求項６のいずれかに記載のスイッチ装置において、前記ケースの前記貫通孔の縁部には、面取り部が設けられていることを特徴とするスイッチ装置である。
【００６２】
請求項８に記載の発明は、請求項１〜請求項７のいずれかに記載されたスイッチ装置を備えていることを特徴とする時計である。
【００６３】
請求項９に記載の発明は、貫通孔が設けられたケースと、前記貫通孔に挿入される軸部および前記ケースの外部に配置されて押圧部が設けられた頭部を備えた操作部材と、前記頭部によって押圧されて弾性変形する第１ばね部と、前記頭部の前記押圧部によって押圧されて弾性変形する第２ばね部と、を備えていることを特徴とするスイッチ装置である。
【符号の説明】
【００６４】
１  腕時計ケース
３  スイッチ装置
６  時計モジュール
６ａ  スイッチ接点部
１２  ケース本体
１３、１４  第１、第２外装部材
１５  操作部材
１６  第１ばね部
１７  第２ばね部
１７ａ  軸挿入孔
１８  貫通孔
１８ａ  小径孔部
１８ｂ  大径孔部
２０  軸部
２１  頭部
２３  抜止め部材
２４  ばね取付溝
２５  押圧部
２６  弾性部材
２７  面取り部
【図１】
2019114374.tif 000003
【図２】
2019114374.tif 000004
【図３】
2019114374.tif 000005
【図４】
2019114374.tif 000006
【図５】
2019114374.tif 000007